(57)【要約】      （修正有）【課題】ポリ乳酸樹脂が配合されている化粧用コンパクト容器において、長期に渡って使用しても蓋体のフリーストップ性能を維持できると共に、蓋体の開閉動作に伴う軋音が発生することがない化粧用コンパクト容器を提供する。【解決手段】容器本体４と蓋体３とが蝶番ピン７を介して蝶番状に開閉され、且、該容器本体４と蓋体３にポリ乳酸樹脂が配合されてなる樹脂製の化粧用コンパクト容器５において、前記蝶番ピン７には、筒状に形成された樹脂製のピンカバー６を外装し、該ピンカバー６を容器本体４又は蓋体３のいずれか一方に固着すると共に、蝶番ピン７を他方に固着し、ピンカバー６と蝶番ピン７との間で回動することにより蓋体３が開閉自在とした化粧用コンパクト容器。【選択図】図１
2010158480.tif 000002
【特許請求の範囲】
【請求項１】
容器本体と蓋体とが蝶番ピンを介して蝶番状に連結され、且、該容器本体と蓋体にポリ乳酸樹脂が配合されてなる樹脂製の化粧用コンパクト容器において、前記蝶番ピンには、筒状に形成された樹脂製のピンカバーを外装し、該ピンカバーを容器本体又は蓋体のいずれか一方に固着すると共に、蝶番ピンを他方に固着し、ピンカバーと蝶番ピンとの間で回動することにより蓋体が開閉自在となるようにしたことを特徴とする化粧用コンパクト容器。
【請求項２】
前記化粧用コンパクト容器に配合されるポリ乳酸樹脂の量が２０質量％以上であることを特徴とする請求項１記載の化粧用コンパクト容器。
【請求項３】
前記ピンカバーを形成する樹脂が、アクリロニトリル・ブタジエン・スチレン共重合体樹脂、ポリオキシメチレン樹脂、ポリブチレンテレフタレート樹脂、シクロヘキサンジメタノールとテレフタル酸とのエステル化合物と該エステル化合物とイソフタル酸とのエステル化合物とからなる共重合体樹脂、ポリアミド樹脂から選ばれることを特徴とする請求項１記載の化粧用コンパクト容器。
【請求項４】
前記ピンカバーの断面外形が、凹凸状に形成されることを特徴とする請求項１又は３に記載の化粧用コンパクト容器。
【請求項５】
前記ピンカバーの断面外形が、略ローレット状に形成されることを特徴とする請求項４記載の化粧用コンパクト容器。 
【発明の詳細な説明】
【技術分野】
【０００１】
本発明は、化粧料や化粧用具を収納する容器本体と蓋体とが蝶番状に連結して開閉し得るように構成された化粧用コンパクト容器の蝶番部の構造に関する。
【背景技術】
【０００２】
従来、ファンデーションやアイシャドー、リップクリーム等の化粧料及びそれらの化粧料を塗布するためのスポンジや刷毛、チップ等の化粧用具を収容する化粧用コンパクト容器は公知である。一般的な化粧用コンパクト容器は、化粧料や化粧用具を収容することができるように、それぞれ凹状に画成された化粧料収容部と化粧用具収容部とを有する容器本体と、この容器本体の端部近傍に設けられるヒンジ部に蝶番ピンを用いて回動自在に枢着され、容器本体の上面の開口部を開閉し得るように形成される蓋体とからなる。
【０００３】
ヒンジ部に使用される蝶番ピンは、金属製の丸棒状又はパイプ状のものが汎用されている。これらの蝶番ピンにおいては、化粧用コンパクト容器の繰り返しの開閉によって、蝶番ピンの外周面とヒンジ部の軸穴の内周面とが擦れあって摩耗し、蝶番ピンが弛み、蓋が所定の角度で停止しなくなるという、所謂、フリーストップ性を発揮しないという問題があった。この問題を解決するために、特許文献１のように蝶番ピンの相対回転を規制する規制部を設ける技術が開示されている。
【０００４】
近年、地球環境保全の観点から、石油由来の樹脂に代えて生分解性を有する植物由来のポリ乳酸樹脂（以下、ＰＬＡと称す）を用いて、特許文献２のようにシートを作成する技術が開示されている。しかし、ＰＬＡは、単独で用いた場合、耐熱性や耐加水分解性に劣るため、他の樹脂成分と混合して使用される場合が多い。化粧用コンパクト容器においても、ＰＬＡを配合し、環境に優しいコンパクト容器の開発が行われているが、上述したシートと同様に、ＰＬＡ単独では耐久性に劣るため、アクリロニトリル・ブタジエン・スチレン共重合体樹脂（以下、ＡＢＳと称す）やポリメタクリル酸メチル樹脂（以下、ＰＭＭＡと称す）等の樹脂と混合することが行われている。
【０００５】
しかしながら、ＡＢＳやＰＭＭＡ等にＰＬＡを含有させた化粧用コンパクト容器は、表１に示したように、ＰＬＡを含まない樹脂で作成した化粧用コンパクト容器に比べて、フリーストップ性が著しく低下し、長期間の使用に耐えることができないという問題が発生していた。更に、蓋体の開閉動作に伴って軋音が発生して商品価値を低下させるという問題があった。
【表１】
2010158480.tif 000003
【先行技術文献】
【特許文献】
【０００６】
【特許文献１】実開平０５−０１３３０７号公報
【特許文献２】特開２００４−２９９７１１号公報
【発明の概要】
【発明が解決しようとする課題】
【０００７】
本発明は、上記問題点に鑑みてなされたものであり、金属製の蝶番ピンに樹脂製の筒状のピンカバーを外装することにより、ＰＬＡが配合された化粧用コンパクト容器を長期間使用しても、化粧用コンパクト容器のフリーストップ性を低下させることがなく、且、蓋体の開閉動作に伴う軋音を発生させることがない化粧用コンパクト容器を提供せんとするものである。
【課題を解決するための手段】
【０００８】
上記課題を解決するために本発明が採った手段は、容器本体と蓋体とが蝶番ピンを介して蝶番状に連結され、且、該容器本体と蓋体にポリ乳酸樹脂が配合されてなる樹脂製の化粧用コンパクト容器において、前記蝶番ピンには、筒状に形成された樹脂製のピンカバーを外装し、該ピンカバーを容器本体又は蓋体のいずれか一方に固着すると共に、蝶番ピンを他方に固着し、ピンカバーと蝶番ピンとの間で回動することにより蓋体が開閉自在となるようにしたことを特徴とする。
【０００９】
化粧用コンパクト容器に配合されるポリ乳酸樹脂の量が２０質量％以上であることを特徴とする。
【００１０】
ピンカバーを形成する樹脂が、アクリロニトリル・ブタジエン・スチレン共重合体樹脂、ポリオキシメチレン樹脂、ポリブチレンテレフタレート樹脂、シクロヘキサンジメタノールとテレフタル酸とのエステル化合物と該エステル化合物とイソフタル酸とのエステル化合物とからなる共重合体樹脂、ポリアミド樹脂から選ばれることを特徴とする。
【００１１】
ピンカバーの断面外形が凹凸状に形成されることを特徴とする。
【００１２】
ピンカバーの断面外形が略ローレット状に形成されることを特徴とする。
【発明の効果】
【００１３】
本発明は、金属製の蝶番ピンに樹脂製の筒状のピンカバーを外装し、このピンカバーを外装した蝶番ピンを容器本体と蓋体との蝶番部に形成された軸穴に嵌着し、蝶番ピンに対してピンカバーを回転させながら、該ピンカバーが固着されている蓋体を開閉させることによって、ＰＬＡが配合されている化粧用コンパクト容器であっても多数回の開閉動作や長期間の使用においてフリーストップ性を低下させることがなく、又、蓋体の開閉動作において軋音を発生することも無くスムーズな操作感を得ることができるという効果を奏する。
【図面の簡単な説明】
【００１４】
【図１】本実施態様の化粧用コンパクト容器の蓋体ヒンジ部にピンカバーを取り付けた状態を示す縦断面図
【図２】(ａ)図１のイ−イ'横断面図、(ｂ)他の化粧用コンパクト容器のイ−イ'断面図
【図３】(ａ)ピンカバーの一実施例の断面図、(ｂ)同ピンカバーの斜視図
【図４】(ａ)ピンカバーの別の実施例の断面図、(ｂ)同ピンカバーの斜視図
【発明を実施するための形態】
【００１５】
容器本体(４)及び蓋体(３)には、ＰＬＡが配合されている。一般的な化粧用コンパクト容器の樹脂としては、ＡＢＳやＰＭＭＡが使用されているので、本発明においては、これらの樹脂にＰＬＡを２０質量％以上配合する。ＰＬＡの配合量が２０質量％より少ない場合は、環境対策の製品として認められない。
【００１６】
本発明の実施の形態を、図１〜４を参照しながら詳細に説明する。本発明の化粧用コンパクト容器(５)は、ファンデーションやアイシャドー、リップクリーム等の化粧料を収容するための凹状に画成された化粧料収容部(２)と、それらの化粧料を塗布するためのスポンジや刷毛や、チップ等の化粧用具を収容するための凹状に画成された化粧用具収容部（図示省略）と、蓋体(３)をヒンジ連結するための本体軸穴(41)が穿設された本体ヒンジ部(42)とを有する容器本体(４)と、この容器本体(４)の上面の開口部(4a)を開閉し得るように形成され、容器本体(４)のヒンジ部(42)にヒンジ連結される蓋体軸穴(31)が穿設された蓋体ヒンジ部(32)を有する蓋体(３)とを備えており、多数回の開閉操作或いは長期間にわたって使用してもフリーストップ性が低下することがない耐久性の高いヒンジ連結構造を有するものである。
【００１７】
蝶番部(１)は、図２(ａ)に示すように、容器本体(４)の本体ヒンジ部(42)に蝶番ピン(７)を圧挿入するための本体軸穴(41)を穿設し、蓋体(３)の蓋体ヒンジ部(32)にはピンカバー(６)を固着する蓋体軸穴(31)を穿設し、本体軸穴(41)と筒状のピンカバー(６)の内孔が一直線上に並ぶように配置し、蝶番ピン(７)を挿入する。また、蝶番部(１)は、図２(ｂ)に示すように、容器本体(４)の本体ヒンジ部(42)に筒状のピンカバー(６)を固着する本体軸穴(41)を穿設し、蓋体(３)の蓋体ヒンジ部(32)には蝶番ピン(７)を圧挿入する蓋体軸穴(31)を穿設し、蓋体軸穴(31)と筒状のピンカバー(６)の内孔が一直線上に並ぶように配置し、蝶番ピン(７)を挿通しても良い。
【００１８】
このように本体軸穴(41)又は蓋体軸穴(31)のいずれか一方に、筒状のピンカバー(６)が固着され、このピンカバー(６)の内孔には蝶番ピン(７)が挿入されているので、蝶番ピン(７)の外周面がピンカバー(６)の内孔面との間で適度な摩擦力で摺動しながら、蝶番ピン(７)が回動するようになっている。上述した図２(ａ)のコンパクト容器(５)においては、本体ヒンジ部(42)の本体軸穴(41)に蝶番ピン(７)の一端が固着され、蓋体ヒンジ部(32)の蓋体軸穴(31)に筒状のピンカバー(６)が固着されているので、蓋体(３)の回動によって、筒状のピンカバー(６)も連動して回動し、蝶番ピン(７)の外周面とピンカバー(６)内孔面との間で摩擦が生じるが、ピンカバー(６)は耐摩耗性を有する樹脂で作成されているため、摩耗することなく、長期間使用してもフリーストップ性が低下することはない。また、図２(ｂ)に示したように、本体ヒンジ部(42)の本体軸穴(41)に筒状のピンカバー(６)を配置しても同様の効果を得ることが出来る。
【００１９】
ピンカバー(６)は、筒状をなす長尺状の部材であり、樹脂から形成される。ピンカバー(６)を構成する樹脂素材としては、耐摩耗性を有する樹脂であるＡＢＳ、ポリオキシメチレン樹脂(ＰＯＭ)、ポリブチレンテレフタレート樹脂(ＰＢＴ)、シクロヘキサンジメタノールとテレフタル酸とのエステル化合物と該エステル化合物とイソフタル酸とのエステル化合物とからなる共重合体樹脂(ＰＣＴＡ)、ポリアミド樹脂(ＰＡ)等が使用される。ピンカバー(６)は、外径がおよそ３．５ｍｍで、肉厚がおよそ０．８〜１．０ｍｍ程度に設定される。ピンカバー(６)の長さは、蝶番ピン(７)の長さと同等程度、即ち１０〜１６ｍｍ程度に設定される。
【００２０】
これら容器本体(４)又は蓋体(３)の本体軸穴(41)又は蓋体軸穴(31)に配置されるピンカバー(６)は、本体軸穴(41)又は蓋体軸穴(31)の内径よりも大きな外径を有し、断面外形が凹凸状になるように形成することが好ましい。例えば、図３(ａ)に示すように、ピンカバー(60)の横断面外形を、頂部(60a)の直径が本体軸穴(41)又は蓋体軸穴(31)の内径よりも幾分大きめ、谷部(60b)の直径が本体軸穴(41)又は蓋体軸穴(31)の内径よりも幾分小さめになるように八芒星形に形成し、全体外形として図３(ｂ)に示すような筒を形成する。また、図４(ａ)に示すように、ピンカバー(61)の凹凸状に形成された横断面外形における頂部(61a)からピンカバー(61)の中心に向かって所定幅で凹設した溝部(61c)を形成することが出来る。
【００２１】
ピンカバー(６)の内部には、蝶番ピン(７)が装着される。蝶番ピン(７)は、単なる金属製の丸棒体であってもよいが、好ましくは、平行な両端辺がそれぞれ鋸刃状にカットされた金属平板を、鋸カット辺部どうしを合わせるように、プレスによってパイプ状に丸め、鋸カット辺部どうしの間に僅かに間隙を残存させて直径方向に撓む略パイプ状に形成された蝶番ピン(７)を用いる。尚、パイプ状の蝶番ピン(７)の外径は、ピンカバー(６)の内径よりも若干大きめに設定され、蝶番ピン(７)をピンカバー(６)の内部に挿通する際に、蝶番ピン(７)の合わせ目の間隙を狭めるように蝶番ピン(７)を直径方向に圧縮付勢させ、蝶番ピン(７)が直径方向に膨張して付勢力が発現するように構成する。これによって、蝶番ピン(７)が弛んでピンカバー(６)から抜けることを防止することができると共に、蝶番ピン(７)の外周面がピンカバー(６)内孔面との間で適度な摩擦力で摺動するようになっているので、長期間にわたってフリーストップ性を維持することができる。
【００２２】
以上説明したように、本発明の化粧用コンパクト容器(５)は、本体軸穴(41)又は蓋体軸穴(31)に筒状の樹脂製ピンカバー(６)を嵌着し、このピンカバー(６)の内部に略パイプ状の蝶番ピン(７)を挿着することにより、長期間の使用や多数回の開閉操作を行ってもフリーストップ性を低下させることがなく、更に、開閉時の軋音を発生させることがないものである。
【符号の説明】
【００２３】
１  蝶番部
２  化粧料収容部
３  蓋体
31  蓋体軸穴
32  蓋体ヒンジ部
４  容器本体
41  本体軸孔
42  本体ヒンジ部
4a  開口部
５  化粧用コンパクト容器
６  ピンカバー
７  蝶番ピン
60  ピンカバー
60a  頂部
60b  谷部
61  ピンカバー
61a  頂部
61c  溝部 
【図１】
2010158480.tif 000004
【図２】
2010158480.tif 000005
【図３】
2010158480.tif 000006
【図４】
2010158480.tif 000007